(57)【要約】【課題】ハンドリング性を含めた作業性に極めて優れており、市販されている洗浄スプレー（界面活性剤・除菌剤・防カビ剤・消臭剤・香料等が含まれている）や、高圧洗浄機、あるいはスチームクリーナーなどを使用する際であっても、洗浄中において、部屋中に洗浄排水が飛び散らないようなエアコン洗浄カバーを提供すること。【解決手段】エアコンを洗浄する際に使用するエアコン洗浄用カバー１０であって、切り欠き部２０を備えたカバー本体３０とカバー本体３０の上端周囲に取り付けた弾性紐状部材４０と、カバー本体３０の下端に排水穴５０と、排水穴５０に取り付けた排水誘導部材を６０備えることを特徴とするエアコン洗浄用カバー１０とした。【選択図】図１
2020185561.tif 000002
【特許請求の範囲】
【請求項１】
エアコンを洗浄する際に使用するエアコン洗浄用カバーであって、
切り欠き部を備えたカバー本体と
前記カバー本体の上端周囲に取り付けた弾性紐状部材と、
前記カバー本体の下端に排水穴と、
前記排水穴に取り付けた排水誘導部材を備えることを特徴とするエアコン洗浄用カバー。
【請求項２】
前記カバー本体の材質はポリエチレンであり、厚さは０．０８ｍｍ〜０．１８ｍｍであることを特徴とする請求項１に記載のエアコン洗浄用カバー。
【発明の詳細な説明】
【技術分野】
【０００１】  本発明は、エアコン装置を洗浄する際に使用するエアコン洗浄用カバーに関する。さらに言えば、洗浄中において発生する、洗浄排水が部屋中に散乱しないようにエアコン装置回りをガードするエアコン洗浄用カバーに関する。
【背景技術】
【０００２】  エアコン装置は使用し続けると、汚れや臭いが発生する。エアコン装置の汚れや臭いの原因は、エアコン装置内部に発生した黴によることが多い。黴の胞子は常に空気中に浮遊しており、温度・湿度・栄養分という３つの条件が揃った場所（エアコン装置内部）で繁殖する。エアコン装置内部は温度変化が少なく、空気中の埃がフィルターに溜まったり、冷房時にはエアコン装置内部に結露が発生したりするため、黴菌にとっては絶好の繁殖スポットであると言える。【０００３】  そこで、定期的にエアコン装置を洗浄する必要があり、通常は、部屋の中に洗浄排水が飛び散るのを嫌って拭き掃除や掃除機などを使用するのであるが、汚れを完璧に除去することができないことが多い。完璧に汚れを落とし、黴の発生を防ぐためには、市販されている洗浄スプレー（界面活性剤・除菌剤・防カビ剤・消臭剤・香料等が含まれている）や、高圧洗浄機、あるいはスチームクリーナーなどを使用することが好ましいのであるが、これらの作業により、洗浄中に部屋中に洗浄排水（廃液を含む）が飛び散ってしまうため、洗浄排水（廃液を含む）が飛び散らないようにしなければならない。【０００４】  特許文献１には、「コンパクト化を図り、持ち運びに便利なエアコン洗浄用カバーを提供する（特許文献１：要約）。」ことを課題として、「エアコンに被せ洗浄剤の飛散を防止するカバーで、前片，上片，下片で略コ字状に構成され、上側コーナー部及び下側コーナー部を、蝶番を介して開口部を開閉自在としたコ字状枠片を二つ左右に並列設し、上片端部間に、エアコン後端上部に接する上懸架片を懸架し、下片端部間に、エアコン後端下部又は底面に接する下懸架片を懸架して枠体を形成し、枠体を、後面を除いて透明のビニールシートで覆い、ビニールシートの前面に洗浄窓を、下面に排出口を設けてカバー本２を形成し、左右上片の端部寄りの部位と左右下片の端部寄りの部位とをそれぞれ連結する連結部材を設け、蝶番を介して上片及び下片を前片に対して開口部を小さくする内側に向けて折りたたみ可能とした（特許文献１：要約：解決手段から抜粋）。」エアコン洗浄用カバー（特許文献１：発明の名称）が開示されている。
【先行技術文献】
【特許文献】
【０００５】
【特許文献１】特開２００８−１５１３６５
【発明の概要】
【発明が解決しようとする課題】
【０００６】  特許文献１に係る発明は、エアコン洗浄用カバーを形成するために、枠体（略コ字状に構成され、上側コーナー部及び下側コーナー部を、蝶番を介して開口部を開閉自在としたコ字状枠片を二つ左右に並列設し、上片端部間に、エアコン後端上部に接する上懸架片を懸架し、下片端部間に、エアコン後端下部又は底面に接する下懸架片を懸架したもの）を形成している。特許文献１に係る発明は、枠体（略コ字状に構成された）を形成しているが故に、構造的に嵩張るし、ハンドリング性や、設置等の作業時において非常に手間が掛かるものであるため、全く好ましくないものである。【０００７】  本発明の目的は、ハンドリング性等を含めた作業性に極めて優れており、エアコンの洗浄用に市販されている洗浄スプレー（界面活性剤・除菌剤・防カビ剤・消臭剤・香料等が含まれている）や、高圧洗浄機、あるいはスチームクリーナーなどを使用する際であっても、洗浄中において、部屋中に洗浄排水（廃液を含む）が飛び散らないようなエアコン洗浄用カバーを提供することにある。
【課題を解決するための手段】
【０００７】  上記課題を解決するために、本願請求項１に記載した発明は、エアコンを洗浄する際に使用するエアコン洗浄用カバーであって、切り欠き部を備えたカバー本体と前記カバー本体の上端周囲に取り付けた弾性紐状部材と、前記カバー本体の下端に排水穴と、前記排水穴に取り付けた排水誘導部材を備えるエアコン洗浄用カバーであることを特徴とするものである。【０００８】  本願請求項２に記載した発明は、請求項１に記載した発明において、前記カバー本体の材質はポリエチレンであり、厚さは０．０８ｍｍ〜０．１８ｍｍであるエアコン洗浄用カバーであることを特徴とするものである。
【発明の効果】
【０００９】  本発明は、切り欠き部を備えたカバー本体とカバー本体の上端周囲に取り付けた弾性紐状部材と、カバー本体の下端に排水穴と、排水穴に取り付けた排水誘導部材を備えている。従って、開閉自在な弾性紐状部材を、エアコン装置が取り付けられている箇所の周囲から覆うように取り付けることができる。さらに、エアコン装置に取り付けた状態において、カバー本体の切り欠き部が開放されて、作業者がその部分を通じて洗浄などの作業を行うことができるようになっている。【００１０】  即ち、ハンドリング性等を含めた作業性に優れており、市販されている洗浄スプレー（界面活性剤・除菌剤・防カビ剤・消臭剤・香料等が含まれている）や、高圧洗浄機、あるいはスチームクリーナーなどを使用する際であっても、洗浄中において、部屋中に洗浄排水（廃液を含む）が飛び散らないようなエアコン洗浄カバーを提供することができるようになった。
【図面の簡単な説明】
【００１１】
【図１】本発明に係るエアコン洗浄用カバーの全体図である。
【図２】エアコン洗浄用カバーの使用状態を示す図である。
【発明を実施するための形態】
【００１２】＜エアコン洗浄カバーの構造＞
以下、本発明に係るエアコン洗浄用カバー１０について、図１〜図２を参照しつつ詳細に説明する。図１は、本発明に係るエアコン洗浄カバー１０の全体図である。図１（ａ）は、エアコン洗浄用カバー１０の弾性紐状部材４０を、その弾性力に反発して両端側から引っ張った状態であり、図１（ｂ）はエアコン洗浄用カバー１０の弾性紐状部材４０を、その弾性力に任せて放置した状態である。
【００１３】  本発明に係るエアコン洗浄用カバー１０は、切り欠き部２０を備えたカバー本体３０と、カバー本体３０の上端周囲に取り付けた弾性紐状部材４０と、カバー本体３０の下端の一角に開口した排水穴５０と、排水穴５０に外部に向かって取り付けた排水誘導部材６０を備えている。尚、カバー本体３０の材質はポリエチレンであり、その厚さは０．０８ｍｍ〜０．１８ｍｍである。
【００１４】  エアコン洗浄用カバー１０の構造をより良く理解できるように、エアコン洗浄用カバー１０の製造方法を記載する。エアコン洗浄用カバー１０は、カバー本体３０となる１枚のポリエチレン製の矩形の袋（５００ｍｍ〜１０００ｍｍ×５００ｍｍ〜１０００ｍｍ）と、排水誘導部材６０となる１本のポリエチレン製の帯状の袋（５０ｍｍ〜１００ｍｍ×１０００ｍｍ〜２０００ｍｍ）と、弾性紐状部材４０（ポリエチレン製の袋のサイズに合わせた長さ：カバー本体３０の開口上端部周囲の長さよりも短い）から製造することができる。
【００１５】  １枚のポリエチレン製の矩形の袋の開口上端部周囲に、弾性紐状部材４０（長さは開口上端部周囲の長さよりも短い）を設置し、図１に記載したように、１枚のポリエチレン製の矩形の袋の一部（弾性紐状部材４０を設置していない箇所）を大きく切り落とすことで、切り欠き部２０を形成し、カバー本体３０の下端の一角（切り欠き部２０ではない側）を小さく切り落とすことにより排水穴５０を形成し、排水穴５０に排水誘導部材６０を融着等の方法で取り付けることにより製造することができる。
【００１６】＜エアコン洗浄用カバーの使用方法＞
図２は、本発明に係るエアコン洗浄用カバー１０の使用状態を示す図である。図２に記載したように、エアコン洗浄用カバー１０の開口上端部周囲に設置した弾性紐状部材４０を引き伸ばした状態にしつつ、洗浄可能な状態までカバーや部品等を取り外した状態の（壁に設置した状態の）エアコン装置の周囲に取り付ける。弾性紐状部材４０は、その弾性力により縮むので、エアコン洗浄用カバー１０がエアコン装置に自然に固定される。
【００１７】  エアコン洗浄用カバー１０をエアコン装置に固定した状態になると、図２に記載したように、洗浄排水が飛び散らないように、カバー本体３０がガードすることができるし、切り欠き部２０が、洗浄作業（スプレー噴射、拭き取り作業等）するための作業窓口となる。そして、エアコン装置を洗浄し終えた洗浄排水が、カバー本体３０から、カバー本体３０の下端の排水穴５０を経由して、排水穴５０に取り付けた排水誘導部材６０を通って、図２に記載したように、床上等に設置したバケツ等に回収されることになる。
【００１８】＜エアコン洗浄用カバーの効果＞
本発明に係るエアコン洗浄用カバー１０は、切り欠き部２０を備えたカバー本体３０とカバー本体３０の上端周囲に取り付けた弾性紐状部材４０を備えている。洗浄時において、切り欠き部２０がエアコン装置のサイズに合わせて開口することで、作業する際の作業窓口となる。さらに、弾性紐状部材４０の弾性力により、色々なサイズのエアコン装置に対応することができるし、簡単にエアコン洗浄用カバー１０をワンタッチ装着することができる。
【００１９】  カバー本体３０の下端に排水穴５０と、排水穴５０に取り付けた排水誘導部材６０を備えている。ハンドリング性等を含めた作業性に優れており、市販されている洗浄スプレー（界面活性剤・除菌剤・防カビ剤・消臭剤・香料等が含まれている）や、高圧洗浄機、あるいはスチームクリーナーなどを使用する際であっても、洗浄中において、部屋中に洗浄排水が飛び散らないようなエアコン洗浄カバーを提供することができるようになった。
【００２０】  エアコン洗浄用カバー１０は、ポリエチレンシートを加工することにより形成されており、その厚さが０．０８ｍｍ〜０．１８ｍｍである。エアコン洗浄用カバー１０のカバー本体３０の厚さが、これよりも厚い場合、洗浄時に、廃液を受ける部分（要するにカバー本体３０の下端に設置した排水穴５０付近）の部分が、洗浄排水の重みで垂れてしまい、下から手で支えなければ洗浄作業ができない状態になるが、厚さが０．０８ｍｍ〜０．１８ｍｍであることにより、その必要が無く、作業性が大きく向上することになる。
【００２１】  エアコン洗浄用カバー１０は、表面全体に亘ってシリコンコーティング（耐熱仕様）することにより、汚れが表面に付着し難いという効果もある。エアコン洗浄用カバー１０は、汚れたものを使用すると、エアコン自体が汚れてしまうため、作業効率の点において好ましくなく、新品に取り換えなければならないが、シリコンコーティング（耐熱仕様）であれば、汚れ難いので繰り返し使用することができる。
【００２２】＜エアコン洗浄カバーの変更例＞
本発明に係るエアコン洗浄カバーは、上記実施形態の態様に何ら限定されるものではなく、切り欠き部、カバー本体、弾性紐状部材、排水穴、排水誘導部材等の構成を、本発明の趣旨を逸脱しない範囲で、必要に応じて適宜変更することができる。例えば、カバー本体のサイズは、本明細書の実施例等に記載したサイズよりも大きくても良いし、小さくても良い。さらに、排水誘導部材は、チューブ状の部材であっても良い。
【産業上の利用可能性】
【００２３】  本発明に係るエアコン洗浄カバーは、上記の如く優れた効果を奏するものであるので、エアコン洗浄に関する分野等で好適に用いることができる。
【符号の説明】
【００２４】１０・・エアコン洗浄用カバー
２０・・切り欠き部
３０・・カバー本体
４０・・弾性紐状部材
５０・・排水穴
６０・・排水誘導部材
【図１】
2020185561.tif 000003
【図２】
2020185561.tif 000004